(57)【要約】【課題】浴室用テレビでは、ケーシング内を外部に対して水密状態に保たなければならない。そのためケーシング本体２と蓋板とを相互に接合してケーシングを構成している。一方、ケーシング本体２には液晶表示ユニット５の画面が臨む窓部１２が形成されているが、近年の大画面化によってケーシングが大型化し、かつケーシング本体１２に対する窓部１２の大きさが大きくなり、ケーシングの強度が低下する傾向にある。【解決手段】ケーシング本体２に板金製の補強板４を取り付けることによりケーシングの補強を行うと共に、この補強板４を液晶表示ユニット５からの発熱を放熱する放熱板として機能させ、かつ、プリント配線板６１，６２の取付用ブラケット、およびコネクタ７１の抜け止め用リテーナとして機能させるようにした。【選択図】  図３
2005318114.tif 000002
【特許請求の範囲】
【請求項１】
浴室の壁面に固定される樹脂製の蓋体と、この蓋体に対して水密に接合される樹脂製のケーシング本体とからなるケーシングを備え、ケーシング本体の略中央部に液晶表示ユニットが臨む窓部を有する浴室用テレビにおいて、上記窓部の周囲に設定された複数個所で上記ケーシング本体の内側に取り付けられるとともに、ケーシング本体の外周部近傍に形成された内壁部に対して内側から当接する補強板を備えたことを特徴とする浴室用テレビ。
【請求項２】
上記液晶表示ユニットは背部にバックライトを備えており、上記補強板は金属製であって液晶表示ユニットの背部に当接してバックライトの発する熱の放熱板として機能することを特徴とする請求項１記載の浴室用テレビ。
【請求項３】
上記補強板には、着脱自在のコネクタが臨む窓部が形成されており、この窓部の周縁部に、コネクタを押さえてコネクタが脱落することを防止する押さえ部を形成したことを特徴とする請求項１または請求項２に記載の浴室用テレビ。
【請求項４】
上記補強板はプリント配線板を保持するブラケットとして機能することを特徴とする請求項１から請求項３のいずれかに記載の浴室用テレビ。
【発明の詳細な説明】
【技術分野】
【０００１】
本発明は、浴室の壁面に固定される浴室用テレビに関し、特に浴室の壁面に固定される蓋体と、この蓋体に対して水密に接合されるケーシング本体とからなるケーシングを備えた浴室用テレビに関する。
【背景技術】
【０００２】
入浴中にテレビ画像を鑑賞したいという要求があり、近年浴室用テレビが多数提案されている。このような浴室用テレビは湯水が常にかかる環境に晒されるため、ケーシング内部に湯水が入らないように水密構造にしなければならない。
【０００３】
また、ケーシング内には液晶表示ユニットや各種プリント配線板等の電装部材を内蔵しなければならない。そのため、ケーシングをケーシング本体と蓋体とで構成し、液晶表示ユニットや電装部材をケーシング本体もしくは蓋体に取り付けた後、ケーシング本体と蓋体とを相互に水密に接合している（例えば、特許文献１参照）。
【０００４】
このような浴室用テレビは蓋体の略中央部に液晶表示ユニットが臨む窓部が形成されており、ケーシング内部に内蔵された液晶表示ユニットに表示されるテレビ画像はこの窓部から干渉することができる。
【特許文献１】特開平９−２７９９３号公報（図４、図５）
【発明の開示】
【発明が解決しようとする課題】
【０００５】
上記特許文献に図示された液晶表示ユニットの大きさは比較的小さいものと推察される。ところが、液晶表示ユニットに使用される液晶表示部材は近年安価に大型のものが製造されるようになってきた。これに伴い、浴室用テレビの画面の大きさも大きくなる傾向にある。例えば液晶表示部材の画面が１０インチを超えるとケーシングの幅寸法は４０ｃｍもしくはそれ以上になる。
【０００６】
このケーシングは液晶表示ユニットが臨む窓穴を備えたケーシング本体とそのケーシング本体の背部に接合される蓋体とから構成されている。液晶表示画面が小さい場合にはケーシング本体に窓穴を設けたことによる強度の低下はあまり問題とならないが、ケーシングが大型化すると、ケーシング本体の面積に占める窓穴の比率が大きくなる。また、ケーシングが大型化しても大型化した比率で肉厚を厚くすることができない。
【０００７】
そのため、ケーシングが大型化するとケーシング、特にケーシング本体の強度は大幅に低下する。なお、仮にケーシング本体の肉厚を厚くれば、正面から局所的に押された場合にその部分が凹みにくくはなるかもしれないが、捩れ方向の強度の向上はあまり望めない。
【０００８】
また、ケーシングの強度低下という不具合の他に、浴室用テレビを浴室の壁面に固定する前に例えば落下させるなどして強い衝撃を与えると、ケーシング内のコネクタが緩みあるいは外れるという故障が生じるおそれがある。この場合にはコネクタを再度差し込むだけで故障の原因は排除される。
【０００９】
ところが、ケーシング本体と蓋体とは水密に接合されなければならない。そのためケーシング本体と蓋体とは相互に接着され、あるいは相互に溶着されている。したがって、ケーシング本体と蓋体とを一旦接合すると、ケーシングを破壊することなくケーシング内の修理やメンテナンスを行うことは実質的に不可能になる。
【００１０】
そこで本発明は、上記の問題点に鑑み、液晶表示ユニットの画面の大きさが大型化してもケーシングの強度を低下させることなく、またケーシング内部のコネクタが緩み、あるいは外れることのない浴室用テレビを提供することを課題とする。
【課題を解決するための手段】
【００１１】
上記課題を解決するために本発明による浴室用テレビは、浴室の壁面に固定される樹脂製の蓋体と、この蓋体に対して水密に接合される樹脂製のケーシング本体とからなるケーシングを備え、ケーシング本体の略中央部に液晶表示ユニットが臨む窓部を有する浴室用テレビにおいて、上記窓部の周囲に設定された複数個所で上記ケーシング本体の内側に取り付けられるとともに、ケーシング本体の外周部近傍に形成された内壁部に対して内側から当接する補強板を備えたことを特徴とする。
【００１２】
補強板は板金製であるので樹脂製のケーシング本体より剛性が高い。この補強板を窓部の周囲の複数個所で取り付けることにより、窓部周辺の強度が向上する。そのためケーシング本体を正面から押しても凹まなくなる。また、補強板をケーシング本体の外周部近傍に形成された内壁部に対して内側から当接させることにより、ケーシング本体に対して横方向から外力が作用しても、その外力を補強板が受けてケーシングの捩れ等の変形を防止する。
【００１３】
上記液晶表示ユニットは背部にバックライトを備えており、上記補強板は金属製であって液晶表示ユニットの背部に当接してバックライトの発する熱の放熱板として機能するようにしてもよい。
【００１４】
また、上記補強板には、着脱自在のコネクタが臨む窓部が形成されており、この窓部の周縁部に、コネクタを押さえてコネクタが脱落することを防止する押さえ部を形成すると、ケーシング本体と蓋体とを相互に接合した後にコネクタが緩み、あるいは抜けるという不具合の発生を防止することができる。
【００１５】
なお、上記補強板はプリント配線板を保持するブラケットとして機能するようにしてもよい。
【発明の効果】
【００１６】
以上の説明から明らかなように、本発明は、ケーシング本体の窓部周囲および外周縁部分を補強する補強板を設けたので、大画面化に伴ってケーシングが大型化しても、特にケーシング本体の肉厚を厚くすることなくケーシング本体の強度を高めることができる。
【００１７】
なお、ケーシング内でもっとも発熱量の大きい熱源は液晶表示ユニットのバックライトであるが、上記補強板を金属製とすれば、このバックライトからの発熱を促すこともできる。
【００１８】
また、ケーシングは防水性が要求されるためケーシング本体と蓋体とを相互に接合した状態で、押さえ部によりケーシング内でのコネクタの緩みや外れの発生を防止することができ、コネクタの外れや緩みに起因する故障を防止できる。
【発明を実施するための最良の形態】
【００１９】
図１を参照して、ＢＲは浴室であり、この浴室ＢＲの壁面Ｗには浴室用テレビ１が取り付けられている。この浴室用テレビ１は、図２に示すように、壁面Ｗに固定される蓋体３と、この蓋体３に対して水密になるように接合されたケーシング本体２とからなるケーシングを備えている。なお、１１はケーシング本体２と蓋体３とが相互に接合された状態で前方、すなわちケーシング本体２側から着脱自在に取り付けられる化粧用のカバーである。
【００２０】
この浴室用テレビ１はケーシング本体２の正面に、この正面の多くの面積を示す窓部１２が形成されており、ケーシング内部に収納された液晶表示ユニットの画面がこの窓部１２に臨むように設定されている。
【００２１】
図３を参照して、ケーシング本体２と蓋体３とを相互に接合する前に、ケーシング本体２に液晶表示ユニット５や各種のプリント配線板６１，６２を取り付けなければならない。本発明では、これらを取り付ける際に合わせて補強板４をケーシング本体２に取り付けることとした。
【００２２】
ケーシング本体２および蓋体３は共に熱可塑性の樹脂で射出成型されている。一方、補強板４は金属製であり、金属製の薄板を板金加工することにより成形されている。上述の液晶表示ユニット５は図示しないがユニット化されており、テレビ画面を表示する画面が窓部１２に臨むように取り付けられるので、液晶表示ユニット５のバックライトは後側に位置することになる。そして液晶表示ユニット５の後方には補強板４が位置し、液晶表示ユニット５の後面はこの補強板４に当接することになる。
【００２３】
すると、液晶表示ユニット５内のバックライトからの発熱は補強板４に伝達される。補強板４は上述の通り金属製であるので、伝達された熱は補強板４の全域にすばやく伝導されて、その後に放熱される。従って、補強板４は液晶表示ユニット５の放熱板としても機能する。
【００２４】
ところで、ケーシング本体２の内面に窓部１２を囲むように４個所にネジ止め用の取付座部２１を立設した。この４の取付座部２１は補強板４を介して一体に補強されるので窓部１２の周囲の強度が上がる。そのため、ケーシング本体２に蓋体３を接合した後で窓部１２近傍を前方から押しても補強板４が取付座部２１に固定されているのでケーシング本体２が凹むなどの変更が生じない。
【００２５】
また、補強板４をケーシング本体２に固定すると、例えばａ部を示す図４に詳述するように、補強板４に設けた縦片４１がケーシング本体２の内周壁２２に当接する。このように縦片４１が内周壁２２に当接するように構成したので、補強板４をケーシング本体２に取り付ける際に、内周壁２２が位置決め用のガイドとなってケーシング本体２に対する補強板４の位置決めを行うことができる。さらに、補強板４をケーシング本体２に固定した状態では、例えば内周壁２２が内側に変形しようとしても、縦片４１が内周壁２２を支えて内周壁２２が内側へ変形することが防止される。このように、内周壁２２の内側への変形が防止されると、ケーシング本体２に横方向から外力が作用した場合に補強板４によってケーシングの変形が防止されるばかりか、捩れ方向の変形も補強板４によって防止される。
【００２６】
図３にもどり、補強板４にはプリント配線板６１，６２を取り付けるための座部４３が形成されている。従って、補強板４をケーシング本体２に固定した後に、これらプリント配線板６１，６２はプリント配線板６１，６２の取付用のブラケットとして機能する。
【００２７】
さらに、補強板４には補強板４の下方に配置されるコネクタ７１に連結されたリード線が引き出される開口４４が形成されている。この開口４４には図５に示すように、１対の押さえ爪４２が形成されている。コネクタ７１は補強板４の下部に位置するプリント配線板５１に取り付けられており、リード線７はこのプリント配線板５１と、補強板４の上部に取り付けられるプリント配線板６１とを連結するものである。
【００２８】
補強板４をケーシング本体２に固定すると、押さえ爪４２がコネクタ７１を上方から押さえる。この状態では外部からの振動や衝撃が加わってもコネクタ７１が緩んだり、外れるような不具合がまったく生じない。
【００２９】
ところで、プリント配線板６１，６２と液晶表示ユニット５との間には補強板４が介在するので、液晶表示ユニット５から発せられる熱が直接プリント配線板６１，６２に影響することがない。なお、上述の実施の形態では補強板４は板金製として、液晶表示ユニット５の発熱の放熱を効率よく行うようにしたが、液晶表示ユニット５の放熱の必要性がそれほど問題とならない場合には、補強板４を金属以外の素材、例えばプラスチックで形成してもよい。
【００３０】
なお、本発明は上記した形態に限定されるものではなく、本発明の要旨を逸脱しない範囲内において種々の変更を加えてもかまわない。
【図面の簡単な説明】
【００３１】
【図１】本発明の一実施の形態の構成を示す図
【図２】浴室用テレビの外観を示す斜視図
【図３】ケーシング本体への補強板の取付状態を示す図
【図４】ケーシング本体と補強板との位置関係を示す図
【図５】コネクタ７１の押さえ構造を示す図
【符号の説明】
【００３２】
１  浴室用テレビ
２  ケーシング本体
３  蓋体
４  補強板
５  液晶表示ユニット
１２  窓部
２１  取付座部
２２  内周壁
７１  コネクタ
ＢＲ  浴室
Ｗ  壁面
【図１】
2005318114.tif 000003
【図２】
2005318114.tif 000004
【図３】
2005318114.tif 000005
【図４】
2005318114.tif 000006
【図５】
2005318114.tif 000007